(57)【特許請求の範囲】
【請求項１】
ネットワーク内に属する外部機器を制御するためのアプリケーションを記憶する記憶手段と、
前記外部機器から選択された特定の外部機器を設定登録する設定手段と、
前記アプリケーションを起動するためのトリガーを検出する検出手段と、
前記トリガーに基づいて、ロック機能を解除することなく前記特定の外部機器を制御するための前記アプリケーションを起動する起動制御手段と、
前記特定の外部機器に関する前記アプリケーションが複数ある場合、前記トリガーに基づいて、前記アプリケーションのリストを表示し、いずれかをユーザに選択させる画面を表示制御する表示制御手段と、
を備え、
前記起動制御手段は、前記画面で選択された前記アプリケーションを起動する情報処理端末。
【請求項２】
前記検出手段は、電源をＯＮにする入力を前記トリガーとして検出する、請求項１記載の情報処理端末。
【請求項３】
前記検出手段は、ユーザの動作を感知するセンサを含み、前記センサで感知されるユーザの動作をトリガーとして検出する、請求項１記載の情報処理端末。
【請求項４】
前記検出手段は、集音手段を含み、前記集音手段で集音される音声を前記トリガーとして検出する、請求項１記載の情報処理端末。
【請求項５】
前記アプリケーションは、前記外部機器を操作するためのリモートコントロールアプリケーションである、請求項１記載の情報処理端末。
【請求項６】
前記表示制御手段は、前記ネットワーク内に前記特定の外部機器が複数属する場合、前記特定の外部機器のリストを表示し、いずれかをユーザに選択させる選択画面を表示制御し、
前記起動制御手段は、前記画面で選択された前記特定の外部機器に関する前記アプリケーションを起動する、請求項１記載の情報処理端末。
【請求項７】
前記表示制御手段は、前記検出手段で検出される前記特定の外部機器を電波強度順に並べて前記選択画面に表示制御する、請求項６記載の情報処理端末。
【請求項８】
前記起動制御手段は、前記外部機器の動作状況に応じて前記アプリケーションを起動する、請求項１記載の情報処理端末。
【請求項９】
ネットワーク内に属する外部機器を制御するためのアプリケーションを記憶し、
前記外部機器から選択された特定の外部機器を設定登録し、
前記アプリケーションを起動するためのトリガーを検出し、
前記トリガーに基づいて、ロック機能を解除することなく前記特定の外部機器を制御するための前記アプリケーションを起動するものとし、
前記特定の外部機器に関する前記アプリケーションが複数ある場合、前記トリガーに基づいて、前記アプリケーションのリストを表示し、いずれかをユーザに選択させる画面を表示制御し、前記画面で選択された前記アプリケーションを起動する情報処理端末における情報処理方法。
【発明の詳細な説明】
【技術分野】
【０００１】
本実施形態は、アプリケーションを起動する情報処理端末及び情報処理方法に関する。
【背景技術】
【０００２】
タブレット端末（スマートフォンも同様）は、アプリケーションを起動することで、様々な動作をすることができる。例えば、タブレット端末は、テレビなどの外部機器を制御可能なアプリケーションを保持し、起動することができる。
【０００３】
ユーザは、所望のアプリケーションを扱うためには、タブレット端末を電源ＯＮし、タブレット端末のロック機能（キーロックや画面ロック）を解除した後に、所望のアプリケーションを選択し、それを起動する操作を必要とする。
【先行技術文献】
【特許文献】
【０００４】
【特許文献１】特開平１１−２１２８９３号公報
【発明の概要】
【発明が解決しようとする課題】
【０００５】
しかしながら、ユーザは、タブレット端末を使用して単に外部機器（例えばテレビ）を制御しようとする場合であっても、アプリケーションの選択、選択したアプリケーションの起動、という２ステップを必要とするため、手間がかかる。
【０００６】
本発明の目的は、ユーザの利便性を向上させる情報処理端末及び情報処理方法を提供することである。
【課題を解決するための手段】
【０００７】
実施形態によれば、情報処理端末は、記憶手段と、設定手段と、検出手段と、起動制御手段と、表示制御手段とを備える。前記記憶手段は、ネットワーク内に属する外部機器を制御するためのアプリケーションを記憶する。前記設定手段は、前記外部機器から選択された特定の外部機器を設定登録する。前記検出手段は、前記アプリケーションを起動するためのトリガーを検出する。前記起動制御手段は、前記トリガーに基づいて、ロック機能を解除することなく前記外部機器を制御するための前記アプリケーションを起動する。前記表示制御手段は、前記特定の外部機器に関する前記アプリケーションが複数ある場合、前記トリガーに基づいて、前記アプリケーションのリストを表示し、いずれかをユーザに選択させる画面を表示制御する。前記起動制御手段は、前記画面で選択された前記アプリケーションを起動する。
【図面の簡単な説明】
【０００８】
【図１】実施形態に係る情報処理端末を含むシステムの構成図。
【図２】実施形態に係る情報処理端末のブロック構成図。
【図３】実施形態に係る情報処理端末の画面図。
【図４】実施形態に係る情報処理端末におけるアプリケーションの起動処理のフローチャート。
【図５】実施形態に係る情報処理端末を含むシステムの構成図。
【図６】実施形態に係る情報処理端末の画面図。
【図７】実施形態に係る情報処理端末の画面図。
【発明を実施するための形態】
【０００９】
以下、本実施形態について図面を参照して説明する。  
図１は、複数の電子機器により構成されるシステムの例を示す。本システムは、例えば、映像表示装置１０、情報処理端末２０、無線通信装置３０を備える。
【００１０】
映像表示装置１０は、例えば、放送信号の映像、または記憶媒体に記憶されている映像などを表示する機能を備える電子機器である。また、映像表示装置１０は、情報処理端末２０、無線通信装置３０と通信する機能を備える。なお、映像再生装置１０は、例えば、テレビであるが、これに限定されない。
【００１１】
情報処理端末２０は、アプリケーションを起動して、外部機器を制御（操作）する機能を備える電子機器である。また、情報処理端末２０は、映像表示装置１０、無線通信装置３０と通信する機能を備える。情報処理端末２０の構成については後述する。なお、携帯端末２００は、例えば、タブレット端末、スマートフォンなどであるが、これらに限定されない。
【００１２】
無線通信装置３０は、映像表示装置１０、情報処理端末２０と通信する機能を備える電子機器である。無線通信装置３０は、映像表示装置１０と無線、またはＬＡＮケーブルなどの通信ケーブルにより通信する。無線通信装置３０は、情報端末２０と無線により通信する。また、無線通信装置３０は、例えば情報処理端末２０でのユーザ操作に基づいて、サブネットマスクを使用してＩＰアドレスを電子機器に割り当てることで、サブネット（相互に制御可能なネットワーク）を形成する機能を備える。つまり、無線通信装置３０は、ＤＨＣＰ(Dynamic Host Configuration Protocol)サーバ機能を備える。本実施形態では、少なくとも映像表示装置１０、情報処理端末２０、無線通信装置３０は、同一サブネット内に属するものとする。なお、無線通信装置３０は、例えば、ルーターであるが、これに限定されない。
【００１３】
次に、実施形態に係る情報処理端末２０の構成について説明する。図２は、情報処理端末２０のブロック構成図である。情報処理端末２０は、ＣＰＵ(Central Processing Unit)２０１、ＲＯＭ(Read Only Memory)２０２、ＲＡＭ(Random access Memory)２０３、通信部２０４、ディスプレイ２０５、スピーカ２０６、マイク２０７、センサ部２０８、入力部２０９、記憶部２１０を備える。
【００１４】
ＣＰＵ２０１は、情報処理端末２０の各部の動作を制御する。ＣＰＵ２０１は、後述する各手段を備える。ＲＯＭ２０２は、情報処理端末２０を制御するためのプログラムを記憶する。ＲＡＭ２０３は、ＣＰＵ２０１のワークメモリとして機能する。通信部２０４は、映像表示装置１０、無線通信装置３０と通信するためのインターフェースである。ディスプレイ２０５は、ＣＰＵ２０１による制御に基づいて、種々の画像を表示する。スピーカ２０６は、ＣＰＵ２０１による制御に基づいて、音声を出力する。
【００１５】
マイク２０７は、情報処理端末２０の外部の音を集音して音声信号を生成する。マイク２０７は、外部の音を集音する集音手段、外部の音を検出する検出手段として機能する。センサ部２０８は、例えば、ユーザの動作を感知する静電容量式センサを含む。センサ部２０８は、検出手段として機能する。静電容量式センサは、例えば、ディスプレイ２０５と一体に設けられる。静電容量式センサは、ディスプレイ２０５上でのユーザ操作に基づいて生成した操作信号をＣＰＵ２０１に供給する。操作入力部２０９は、例えば、ボタン式のキーである。操作入力部２０９は、ユーザ操作に基づいて生成した操作信号をＣＰＵ２０１に供給する。操作入力部２０９は、例えば、情報処理端末２０の電源状態（ＯＮ／ＯＦＦ）を切り替えるためのキー、情報処理端末２０のスリープ状態からの復帰を決定するキーを含む。記憶部（記憶手段）２１０は、例えば、ハードディスクドライブ（ＨＤＤ）、ソリッドステイトドライブ（ＳＳＤ）、または半導体メモリなどである。記憶部２１０は、ＣＰＵ２０１により実行されるプログラム、アプリケーション、及び種々のデータを記憶する。記憶部２１０は、例えば、リモートコントロールアプリケーション（以降、リモコンアプリという）、ＥＰＧ(Electronic Program Guide)アプリケーション（以降、ＥＰＧアプリという）、番組検索アプリケーション（番組検索アプリ）、文字入力アプリケーション（以降、キーボードアプリという）、音声入力アプリケーション（以降、音声入力アプリという）を記憶する。リモコンアプリは、外部機器を制御（操作）するためのアプリケーションである。図３は、リモコンアプリの起動時に情報処理端末２０のディスプレイ２０５に表示される一例となる画面図である。ディスプレイ２０５は、例えば映像表示装置１０を操作するためのリモコン（以降、通常のリモコンという）と同様のキーを配置した画面を表示する。ＥＰＧアプリは、番組表または番組情報を表示するためのアプリケーションである。番組検索アプリは、ユーザが希望する番組を検索するためのアプリケーションである。キーボードアプリは、ディスプレイ２０５上での文字入力を容易にするためのアプリケーションである。音声入力アプリは、マイク２０７で集音した音声信号に基づいて文字列を生成するためのアプリケーションである。
【００１６】
次に、実施形態に係る情報処理端末２０におけるアプリケーションの起動処理について説明する。図４は、アプリケーションの起動処理のフローチャートである。なお、ＣＰＵ２０１（設定手段２０１ｄ）は、ユーザ操作に基づいて、情報処理端末２０と同一ネットワーク内に属する少なくとも1以上の外部機器から選択された１以上の特定の外部機器を事前に記憶部２１０に設定登録していることが好ましい。例えば、ユーザは、情報処理端末２０を用いて頻繁に制御する１以上の制御対象（操作対象）となる特定の外部機器を事前に選択してもよい。なお、本実施形態では、ユーザ選択に基づいて設定登録されている特定の外部機器を登録外部機器という。
【００１７】
はじめに、ＣＰＵ２０１（検出手段２０１ａ）は、アプリケーションを起動するためのユーザによるトリガーを検出する（Ｂｌｏｃｋ１００１）。Ｂｌｏｃｋ１００１では、ＣＰＵ２０１は、選択操作以外のユーザによるトリガーを検出する。この選択操作は、例えば、情報処理端末２０に含まれるタッチパネル（ディスプレイ２０５）画面上の所定のアプリケーションアイコンをタッチやフリックする操作など、ユーザが情報処理端末２０に対して意図的に実行しようとするアプリケーションを選択する操作を含む。Ｂｌｏｃｋ１００１では、例えば、ＣＰＵ２０１は、ユーザ操作による情報処理端末２０の電源をＯＮにする（Ｔｕｒｎ  ＯＮ）入力をトリガーとして検出する。次に、ＣＰＵ２０１は、同一サブネット内に属する登録外部機器があるか否かを判断する（Ｂｌｏｃｋ１００２）。Ｂｌｏｃｋ１００２では、ＣＰＵ２０１は、各外部機器に割り当てられたＩＰアドレスと情報処理端末２０に割り当てられたＩＰアドレスを比較すること及び記憶部２１０に記憶されている登録外部機器に関する情報を参照することで、同一サブネット内に属する登録外部機器を検出する。同一サブネット内に属する登録外部機器がない場合（Ｂｌｏｃｋ１００２、Ｎｏ）、ＣＰＵ２０１は、いずれのアプリケーションも起動することなく処理を終了する。つまり、図５に示すように、ＣＰＵ２０１は、情報処理端末２０が同一サブネット内（例えば家庭内）に属する登録外部機器を検出しない場合、アプリケーションの起動処理を継続しない。一方、ＣＰＵ２０１は、情報処理端末２０が同一サブネット内に属する登録外部機器を検出した場合、後述するようにアプリケーションの起動処理を継続する。
【００１８】
同一サブネット内に属する登録外部機器がある場合（Ｂｌｏｃｋ１００２、Ｙｅｓ）、ＣＰＵ２０１は、同一サブネット内に属する複数の登録外部機器があるか否かを判断する（Ｂｌｏｃｋ１００３）。同一サブネット内に属する複数の外部機器がある場合（Ｂｌｏｃｋ１００３、Ｙｅｓ）、ＣＰＵ２０１（表示制御手段２０１ｂ）は、機器選択画面をディスプレイ２０５に表示するように制御する（Ｂｌｏｃｋ１００４）。機器選択画面は、Ｂｌｏｃｋ１００３でＣＰＵ２０１が検出した複数の登録外部機器のリストを表示する。図６は、機器選択画面の一例となる画面図である。ユーザは、機器選択画面から、制御対象（操作対象）の所望の登録外部機器を選択可能である。ＣＰＵ２０１は、ユーザ選択に基づいて、機器選択画面で選択された登録外部機器に関連するアプリケーションがあるか否かを判断する（Ｂｌｏｃｋ１００５）。ここで、関連するアプリケーションとは、選択された登録外部機器を操作するのに使用することが可能なアプリケーションであり、一例としては、リモコンアプリである。なお、関連するアプリケーションは、リモコンアプリ以外にも、上述したようなＥＰＧアプリ、番組検索アプリ、キーボードアプリなどがあるが、本実施形態ではリモコンアプリであることが好ましい。なお、同一サブネット内に属する複数の登録外部機器がない場合（つまり、同一サブネット内に属する登録外部機器が１つのみの場合）（Ｂｌｏｃｋ１００３．Ｙｅｓ）、ＣＰＵ２０１は、Ｂｌｏｃｋ１００５において、同一サブネット内の唯一の登録外部機器に関連するアプリケーションがあるか否かを判断する。
【００１９】
関連するアプリケーションがない場合（Ｂｌｏｃｋ１００５、Ｎｏ）、ＣＰＵ２０１は、いずれのアプリケーションも起動することなく処理を終了する。関連するアプリケーションがある場合（Ｂｌｏｃｋ１００５、Ｙｅｓ）、ＣＰＵ２０１は、複数の関連するアプリケーションがあるか否かを判断する（Ｂｌｏｃｋ１００６）。複数の関連するアプリケーションがある場合（Ｂｌｏｃｋ１００６、Ｙｅｓ）、ＣＰＵ２０１は、アプリケーション選択画面をディスプレイ２０５に表示するように制御する（Ｂｌｏｃｋ１００７）。アプリケーション選択画面は、Ｂｌｏｃｋ１００６でＣＰＵ２０１が検出した複数の関連するアプリケーションのリストを表示する。図７は、情報処理端末２０に表示されるアプリケーション選択画面の一例となる画面図である。アプリケーション選択画面は、一例として、「１．リモコンアプリ」、「２．番組表アプリ」、「３．番組検索アプリ」を表示する。ユーザは、アプリケーション選択画面から、所望のアプリケーションを選択可能である。ＣＰＵ２０１（起動制御手段２０１ｃ）は、ユーザ選択に基づいて、情報処理端末２０のロック機能を解除することなく、アプリケーション選択画面で選択されたアプリケーションを起動する（Ｂｌｏｃｋ１００８）。なお、本実施形態では、ロック機能とは、例えば、解除操作（キー操作、パスワード入力など）なしでは、ユーザの自発的なアプリケーションの選択操作、起動操作の受け付けを許可しない等広くアプリケーションの実行を制限するセキュリティ機能である。なお、複数の関連するアプリケーションがない場合（つまり、関連するアプリケーションが１つのみ存在する場合）（Ｂｌｏｃｋ１００６、Ｎｏ）、ＣＰＵ２０１は、Ｂｌｏｃｋ１００８において、情報処理端末２０のロック機能を解除することなく、唯一の関連するアプリケーションを起動する。
【００２０】
つまり、本実施形態によれば、ＣＰＵ２０１は、トリガーの検出に基づいて、ロック機能を解除することなくアプリケーションを起動することができる。したがって、ユーザは、情報処理端末２０を使用して同一サブネット内に属する外部機器を操作する際に、少なくとも、アプリケーションの選択、選択したアプリケーションの起動、という煩雑な操作手順を省くことができる。そのため、ユーザは、情報処理端末２０を通常のリモコンと同様に手にとって直ぐに使用できる。
【００２１】
なお、本実施形態は、上述した態様以外にも、以下のような態様であってもよい。  
Ｂｌｏｃｋ１００１における情報処理端末をアクティブにするトリガーは、情報処理端末２０の電源ＯＮ以外であってもよい。ＣＰＵ２０１は、ユーザによる情報処理端末２０のスリープ状態からの復帰を決定するキーの押下をトリガーとして検出してもよい。または、ＣＰＵ２０１は、センサ部２０８で感知されるユーザの動作（情報処理端末２０（ディスプレイ２０５のみならず情報処理端末２０の背面、側面など任意の箇所）への接触動作）をトリガーとして検出してもよい。または、センサ部２０８がユーザの動作を感知する近接センサを含む場合、ＣＰＵ２０１は、センサ部２０８で感知されるユーザの動作（情報処理端末２０（ディスプレイ２０５のみならず情報処理端末２０の背面、側面など任意の箇所）への近接動作）をトリガーとして検出してもよい。または、センサ部２０８がユーザの動作を感知する加速度センサを含む場合、ＣＰＵ２０１は、センサ部２０８で感知されるユーザの動作（情報処理端末２０（ディスプレイ２０５のみならず情報処理端末２０の背面、側面など任意の箇所）への接触動作（例えば持ち上げ動作））をトリガーとして検出してもよい。なお、センサ部２０８が備える上述のセンサは、一例であり、センサ部２０８は、ユーザの動作を感知する如何なるセンサを含んでいてもよい。または、ＣＰＵ２０１は、マイク２０７で集音される音声をトリガーとして検出してもよい。この場合、記憶部２１０は、操作対象の登録外部機器に対応する１以上の用語を含む辞書データを記憶する。一例として、操作対象の登録外部機器をテレビとして説明すると、記憶部２１０は、例えば、「テレビ」、「テレビジョン」などテレビに対応した用語を辞書データとして記憶する。ＣＰＵ２０１は、マイク２０７が集音する音声に含まれる用語が辞書データに登録されていれば、音声をトリガーとして検出することができる。なお、ＣＰＵ２０１は、マイク２０７が集音する音声をＢｌｏｃｋ１００１におけるトリガーとして使用するだけではなく、Ｂｌｏｃｋ１００３またはＢｌｏｃｋ１００４における操作対象の登録外部機器の選択に使用してもよい。
【００２２】
上述のようなセンサ部２０８またはマイク２０７を用いてトリガーを検出する態様によれば、ユーザは、情報処理端末２０を使用して同一サブネット内に属する外部機器を制御する際に、情報処理端末２０の電源ＯＮの操作も省くことができる。したがって、ユーザは、通常のリモコンと同様の手順で情報処理端末２０を使用できる。
【００２３】
ＣＰＵ２０１は、Ｂｌｏｃｋ１００３において、同一サブネット内に属する複数の登録外部機器がある場合であっても、以下のような場合、Ｂｌｏｃｋ１００３の処理を省いてもよい。ＣＰＵ２０１は、最後に（前回の）操作対象として選択された登録外部機器を、今回の操作対象の登録外部機器として優先的に選択するようにしてもよい。または、センサ部２０８が登録外部機器で出される電波の強度を検出するセンサを含む場合、ＣＰＵ２０１は、登録外部機器のうち電波強度が最も強い登録外部機器を操作対象の登録外部機器として優先的に選択するようにしてもよい。このような態様によれば、ユーザは、操作対象の登録外部機器の選択という手間を省くことができる。
【００２４】
ＣＰＵ２０１は、Ｂｌｏｃｋ１００４において、操作対象の登録外部機器が複数ある場合、センサ部２０８が検出する登録外部機器の電波強度順に登録外部機器を並べた機器選択画面をディスプレイ２０５に表示するように制御してもよい。または、ＣＰＵ２０１は、過去に操作対象として選択された頻度順に登録外部機器を並べた機器選択画面をディスプレイ２０５に表示するように制御してもよい。または、ＣＰＵ２０１は、最後に操作対象として選択された登録外部機器を優先的に並べた（明示的に示した）機器選択画面をディスプレイ２０５に表示するように制御してもよい。このような態様によれば、ユーザは、機器選択画面を一見するだけで、情報処理端末２０のおかれている電波環境、または、自己の使用履歴に応じた最適な登録外部機器を容易に判別できる。
【００２５】
ＣＰＵ２０１は、Ｂｌｏｃｋ１００６において、複数の関連するアプリケーションがある場合であっても、最後に使用したアプリケーションを今回使用するアプリケーションとして優先的に選択して起動するようにしてもよい。このような態様によれば、ユーザは、アプリケーションの選択という手間を省くことができる。
【００２６】
ＣＰＵ２０１は、Ｂｌｏｃｋ１００６において、複数の関連するアプリケーションがある場合であっても、制御対象の登録外部機器の動作状況（動作状態）に応じて選択的にアプリケーションを起動するように制御することで、Ｂｌｏｃｋ１００７の処理を省いてもよい。例えば、映像表示装置１０が放送番組を表示している場合、ＣＰＵ２０１は、リモコンアプリまたはＥＰＧアプリを選択して起動するようにしてもよい。例えば、映像表示装置１０が文字入力画面を表示している場合、ＣＰＵ２０１は、キーボードアプリまたは音声入力アプリを選択して起動するようにしてもよい。なお、ＣＰＵ２０１は、通信部２０４を介して映像表示装置１０に動作状況の問い合わせ信号を送信し、応答信号を受信し、応答信号を解釈することで映像表示装置１０の動作状況を確認できる。このような態様によれば、ユーザは、操作対象の登録外部機器の動作状況に応じた最適なアプリケーションを手間がかかることなく使用できる。
【００２７】
ＣＰＵ２０１は、Ｂｌｏｃｋ１００７において、過去の使用頻度順にアプリケーションを並べたアプリケーション選択画面をディスプレイ２０５に表示するように制御してもよい。または、ＣＰＵ２０１は、最後に使用されたアプリケーションを優先的に並べた（明示的に示した）アプリケーション選択画面をディスプレイ２０５に表示するように制御してもよい。このような態様によれば、ユーザは、アプリケーション選択画面を一見するだけで、自己の使用履歴に応じたアプリケーションを容易に判別できる。
【００２８】
ＣＰＵ２０１は、Ｂｌｏｃｋ１００８において、本システムがロック機能を解除しない形態のため、個人情報を使わないレベルでアプリケーションを起動するようにしてもよい。例えば、ＣＰＵ２０１は、起動するアプリケーションのうち、情報処理端末２０を使用してユーザが番組の感想をＷｅｂに投稿できる機能については使用不可に設定するようにしてもよい。このような態様によれば、情報処理端末２０の本来の所有者は、所有者以外の者による個人情報に関わる操作を防止できるので、プライバシーが保護される。
【００２９】
ＣＰＵ２０１は、上記処理により起動したアプリケーションをユーザが使用している最中であっても、所定操作に基づいて、標準状態（電話機能や他の機能）に抜けることを許可するようにしてもよい。ＣＰＵ２０１は、上記処理により起動したアプリケーションをユーザが使用している最中に他の機能（例えば、電話機能）が割り込んできても、その割り込み機能の終了時に元のアプリケーションの起動状態に戻すようにしてもよい。ＣＰＵ２０１は、上記処理により起動したアプリケーションを使用してユーザが特定の登録外部機器を制御する場合であっても、所定操作に基づいて、操作対象の登録外部機器を他の登録外部機器に切り換えるようにしてもよい。ＣＰＵ２０１は、上記処理により起動した特定のアプリケーションをユーザが使用している最中であっても、所定操作に基づいて、他のアプリケーションを起動して、利用するアプリケーションを切り換えるようにしてもよい。
【００３０】
なお、登録外部機器が映像表示装置１０に設定登録されていない場合であっても、ＣＰＵ２０１は、映像表示装置１０と同一ネットワーク内に属する複数の外部機器の全てを登録外部機器とみなして、上述した処理と同様に処理してもよい。
【００３１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３２】
１０…映像表示装置、２０…情報処理端末、３０…無線通信装置、２０１…ＣＰＵ、２０１ａ…検出手段、２０１ｂ…表示制御手段、２０１ｃ…起動制御手段、２０１ｄ…設定手段、２０２…ＲＯＭ、２０３…ＲＡＭ、２０４…通信部、２０５…ディスプレイ、２０６…スピーカ、２０７…マイク、２０８…センサ部、２０９…入力部、２１０…記憶部。
【図１】
0005501520.tif 000002
【図２】
0005501520.tif 000003
【図３】
0005501520.tif 000004
【図４】
0005501520.tif 000005
【図５】
0005501520.tif 000006
【図６】
0005501520.tif 000007
【図７】
0005501520.tif 000008